(57)【要約】【課題】部品点数を削減し、コストの低減を実現した商品収納ラックを提供すること。【解決手段】側板２０間に形成した商品収納通路２１と、商品収納通路２１の下部に設けた商品搬出装置１６と、商品搬出装置１６と協働し、商品の搬出を制御する通路規制板２７とを備えた中ラック２において、側板１０間の間隔を内外から規定して側板１０に固定する固定爪２７４，２７５を通路規制板２７に設けたので、前ラックのように、スペーサを配設する必要がなく、中ラック２のコストの低減を実現できる。【選択図】        図５
2006252026.tif 000002
【特許請求の範囲】
【請求項１】
側板間に形成した商品収納通路と、
商品収納通路の下部に設けた商品搬出装置と、
商品搬出装置と協働し、商品の搬出を制御する通路規制板と
を備えた商品収納ラックにおいて、
側板間の間隔を内外から規定して側板に固定する固定手段を前記通路規制板に設けたことを特徴とする商品収納ラック。
【発明の詳細な説明】
【技術分野】
【０００１】
本発明は、自動販売機に内蔵される商品収納ラックに関し、特に商品搬出装置と通路規制板との間で商品の搬出を規制し、商品収納通路に商品を収納する商品収納ラックに関するものである。
【背景技術】
【０００２】
缶入り飲料やビン入り飲料、あるいはペットボトル入り飲料等の商品を販売する自動販売機に内蔵される商品収納ラックが広く知られている。このような商品収納ラックは、略円筒形（多角形のものも含む）で、かつ強度の高い容器に収容した商品の収納に適したサーペンタイン方式が採用されている。サーペンタイン方式の商品収納ラックは、側板間に、トップトレイ、商品収納通路、商品搬出装置のほか、通路規制板を有している。
【０００３】
トップトレイは上下方向に並設してあり、上下方向に隣接したトップトレイ相互間に商品投入口が画成される。トップトレイは、商品投入口（手前側）から商品収納通路（奥側）に向けて漸次低くなるように傾斜して配設した板状部材であり、商品投入口から横倒し姿勢で投入された商品は、トップトレイ上を転動、または滑走することによりトップトレイの手前側から奥側に搬送される。
【０００４】
商品収納通路は、トップトレイから横倒し姿勢で搬送された商品を消勢するとともに、内部に商品を収納するものであり、手前側と奥側とに湾曲形状のセグメントを互いに対向するように適宜連設することによって、上下方向に蛇行するように延設されている。そして、その上端側が商品の投入側となり、下端側が商品の搬出側となる。したがって、トップトレイから搬送された商品は、商品収納通路を通過する際の衝撃で容器が破損／変形することがない。
【０００５】
商品搬出装置と通路規制板とは、商品の搬出を制御するものであり、商品収納通路の下部出口に取り付けてある。商品搬出装置は、上下一対のペダルとベンドソレノイド、リンク機構により構成されている。そして、商品収納通路を通過して一番下まで到達（落下）した商品は、商品搬出装置と通路規制板との間に留まり、次の商品は、その上に積み上げられて、商品収納通路内に次々と収納されていくことになる。
【０００６】
このような商品搬出装置において、たとえば３５０ｍｌ入りの缶入り飲料等の太径の商品、２５０ｍｌ入りの缶入り飲料等の細径の商品、あるいは１００ｍｌ入りのビン入り飲料等の極細径の商品を収納可能にするために、通路規制板を移動可能とし、収納する商品の胴径に合わせて通路規制板を移動していた（たとえば、特許文献１参照）。
【０００７】
また、商品搬出装置には、通路規制板と独立して側板間の間隔を内外から規定するスペーサ（たとえば、特許文献２参照）を設けていた。
【０００８】
【特許文献１】特開２００１−３４４６５０号公報
【特許文献２】特開平９−１５３１８１号公報
【発明の開示】
【発明が解決しようとする課題】
【０００９】
しかしながら、商品搬出装置と通路規制板とを適切な位置に配設することにより、通路規制板を移動することなく、販売の大半を占める太径と細径の両方の商品が商品収納ラックに収納可能となった。また、極細径の商品は、太径の商品および細径の商品に比して販売数量が限定されるため、全ての商品収納ラックに極細径の商品が収納可能である必要はない。
【００１０】
本発明は、上記実情に鑑みて、極細径の商品を収容する必要がない商品収納ラックの部品点数を削減し、コストの低減を実現した商品収納ラックを提供することを目的とする。
【課題を解決するための手段】
【００１１】
上記の目的を達成するために、本発明に係る商品収納ラックは、側板間に形成した商品収納通路と、商品収納通路の下部に設けた商品搬出装置と、商品搬出装置と協働し、商品の搬出を制御する通路規制板とを備えた商品収納ラックにおいて、側板間の間隔を内外から規定して側板に固定する固定手段を前記通路規制板に設けたことを特徴とする。
【発明の効果】
【００１２】
本発明に係る商品収納ラックは、側板間の間隔を内外から規定して側板に固定する固定手段を通路規制板に設けたので、商品収納ラックの部品点数を削減し、コストの低減を実現した商品収納ラックを提供することができる。
【発明を実施するための最良の形態】
【００１３】
以下に添付図面を参照して、本発明に係る商品収納ラックの好適な実施例を詳細に説明する。なお、この実施例によりこの発明が限定されるものではない。
【実施例】
【００１４】
図１は本発明の実施例に係る商品収納ラックを示す側断面図、図２および図３は前ラックの商品払出装置および通路規制板を示す図である。自動販売機の商品収納庫には、図１に示すように、手前側から奥側に向けて、３つの商品収納ラック１，２，３（以下、各商品収納ラックを前ラック１、中ラック２、後ラック３という）が収容してある。これらの商品収納ラック１，２，３は、缶入り飲料やビン入り飲料、あるいは、ペットボトル入り飲料等の商品を収納するものであり、略円筒形（多角形のものも含む）で、かつ強度の高い容器に収容した商品の収納に適したサーペンタイン方式が採用されている。
【００１５】
各商品収納ラック１，２，３は、それぞれ側板１０，２０，３０間に二つの商品収納通路１１，２１，３１を有し、その上部位置には、前ラック１の前面から各商品収納ラック１，２，３の商品収納通路１１，２１，３１に商品を搬送するトップトレイ１２，２２，３２が配設してある。これらのトップトレイ１２，２２，３２は前ラック１の前面において、上下方向に並設してあり、上下方向に隣接したトップトレイ１２，２２，３２相互間に商品投入口１３，２３，３３が画成される。
【００１６】
これらのトップトレイ１２，２２，３２は、商品投入口（手前側）から各商品収納ラック１，２，３の商品収納通路１１，２１，３１（奥側）に向けて漸次低くなるように傾斜して配設した板状部材であり、商品投入口１３，２３，３３から横倒し姿勢で投入された商品は、トップトレイ１２，２２，３２上を転動、または滑走することにより、トップトレイ１２，２２，３２の手前側から奥側に搬送される。
【００１７】
なお、中ラック２の商品収納通路２１に商品を搬送するトップトレイ２２は、前ラック１を横切って中ラック２の商品収納通路２１まで延在するように配設してあり、後ラック３の商品収納通路３１に商品を搬送するトップトレイ３２は、前ラック１、中ラック２を横切って後ラック３の商品収納通路３１まで延在するように配設してある。
【００１８】
前ラック１は、たとえば３５０ｍｌ入りの缶入り飲料等の太径の商品、２５０ｍｌ入りの缶入り飲料等の細径の商品のほか、１００ｍｌ入りのビン入り飲料等の極細径の商品の収納が可能である。
【００１９】
商品収納通路１１は、横倒し姿勢で搬入された商品を消勢するとともに、内部に商品を収納するものであり、手前側と奥側とに湾曲形状のセグメント１４，１５を互いに対向するように適宜連設することによって、上下方向に蛇行するように延設されている。そして、その上端側が商品の投入側となり、下端側が商品の搬出側となる。したがって、搬入された商品は、商品収納通路１１を通過する際の衝撃で容器が破損／変形することがない。
【００２０】
商品収納通路１１の下部出口には、ベンドメックと称される商品搬出装置１６と、アジャスタと称される通路規制板１７が配設してある。商品搬出装置１６は、通路規制板１７と協働して、商品の払出を制御するものであり、本実施例に係る商品搬出装置１６は、図１および図２に示すように、二つの商品収納通路１１の下部中央に配設してある。この商品搬出装置１６は、二つの商品収納通路１１に収納した商品を独立して払出可能であり、上下一対のペダル（上ペダル１６１と下ペダル１６２）が各商品収納通路１１に臨むように配設してある。これら上ペダル１６１と下ペダル１６２とは、図示せぬソレノイドおよびリンク機構により、作動可能である。
【００２１】
通路規制板１７は、上ペダル１６１および下ペダル１６２に対向して、商品収納通路１１に臨むように配設してある。通路規制板１７の両側縁には、図２および図３に示すように、それぞれ三つの係止爪１７１，１７２，１７３が形成してある。また、側板１０には、これらの係止爪１７１，１７２，１７３に対応して調整溝１０１，１０２，１０３が設けてある。調整溝１０１，１０２，１０３には、図３に示すように、通路規制板１７に形成した係止爪１７１，１７２，１７３がそれぞれ挿通し、通路規制板１７を移動可能にしている。したがって、太径の商品あるいは細径の商品を商品収納通路１１に収納する場合には、側板１０の側縁に沿って通路規制板１７を配設し、極細径の商品を収納する場合には、商品搬出装置１６に近接する位置に通路規制板１７を配設することができる。
【００２２】
そして、側板１０の側縁に沿って通路規制板１７を配設し、太径の商品あるいは細径の商品を商品収納通路１１に投入すると、商品収納通路１１を通過して一番下まで到達（落下）した太径あるいは細径の商品は、商品搬出装置１６と通路規制板１７との間に留まり、次に投入された商品は、その上に積み上げられて商品収納通路１１内に次々と収納されることになる。
【００２３】
また、商品搬出装置１６に近接する位置に通路規制板１７を配設し、極細径の商品を商品収納通路１１に投入した場合には、商品収納通路１１を通過して一番下まで到達（落下）した極細径の商品は、商品搬出装置１６と通路規制板１７との間に留まり、次に投入された商品は、その上に積み上げられて商品収納通路１１内に次々と収納されることになる。
【００２４】
側板１０の通路規制板１７を移動させる場合に邪魔にならない位置には、図示せぬスペーサが配設してある。スペーサは、側板１０間の間隔を内外から規定するものであり、スペーサを配設することにより、商品搬出装置１６の上ペダル１６１と下ペダル１６２とが側板１０と干渉することなく作動可能であって、通路規制板１７が容易に移動可能となる。
【００２５】
中ラック２および後ラック３は、太径の商品、あるいは細径の商品の収納が可能であって、極細径の商品の収納が不能である。これは、自動販売機で販売する商品の大半が太径あるいは細径の商品であり、極細径の商品の販売が限られることから、極細径の商品の収納が必要な場合には前ラック１に収納し、中ラック２および後ラック３には収納しないことにしたためである。
【００２６】
中ラック２および後ラック３は、図１、図４および図５に示すように、それぞれ二つの商品収納通路２１，３１、商品搬出装置１６、通路規制板２７，３７を有している。商品収納通路２１，３１および商品搬出装置１６については、前ラック１の商品収納通路１１および商品搬出装置１６と異なるところがないので、説明を省略する。
【００２７】
中ラック２および後ラック３の通路規制板２７，３７は、図６および図７に示すように、側縁２７１から外方にそれぞれ延在する二つの係止爪２７２，２７３と、二つの固定爪２７４，２７５とを有している。また、図４および図５に示すように、各側板２０，３０には、係止爪２７２，２７３が挿通する二つの略矩形の係止穴２０１，２０２と、固定爪２７４，２７５が挿通する二つの略矩形の固定穴２０３，２０４とが形成してある。そして、図５に示すように、係止穴２０１，２０２に係止爪２７２，２７３を、固定穴２０３，２０４に固定爪２７４，２７５を挿通した後、側板２０，３０の外表面と当接するように、固定爪２７４，２７５を折り曲げてある。したがって、係止穴２０１，２０２に挿通した係止爪２７２，２７３と、固定穴２０３，２０４に挿通した固定爪２７４，２７５とにより、商品搬出装置１６の上ペダル１６１および下ペダル１６２と通路規制板２７との間隔を所定の間隔に維持することが可能である。また、通路規制板２７の側縁２７１と固定爪２７４，２７５とにより、側板２０，３０間の間隔を内外から規定することになる。このため、商品搬出装置１６の上ペダル１６１と下ペダル１６２とが側板２０，３０と干渉することなく、作動可能となる。
【００２８】
上述した実施例に係る中ラック２および後ラック３は、側板２０，３０の内側を通路規制板２７，３７の側縁２７１により規定し、固定爪２７４，２７５を折り曲げることにより、側板２０，３０の外側を固定爪２７４，２７５により規定したので、前ラック１のように、スペーサを配設する必要がない。したがって、前ラック１のようにスペーサを配設する必要がなく、中ラック２および後ラック３のコストの低減を実現できる。
【産業上の利用可能性】
【００２９】
以上のように、本発明に係る商品収納ラックは、販売の大半を占める大径の商品と小径の商品を収納する商品収納ラックに有用である。
【図面の簡単な説明】
【００３０】
【図１】本発明の実施例に係る商品収納ラックを示す側断面図である。
【図２】前ラックの商品払出装置および通路規制板を示す側断面図である。
【図３】前ラックの商品払出装置および通路規制板を示す側面図である。
【図４】中ラックおよび後ラックの商品払出装置および通路規制板を示す側断面図である。
【図５】中ラックおよび後ラックの商品払出装置および通路規制板を示す側面図である。
【図６】図４に示した通路規制板の正面図である。
【図７】図４に示した通路規制板の側面図である。
【符号の説明】
【００３１】
１    商品収納ラック（前ラック）
１０    側板
１０１，１０２，１０３    調整溝
１１    商品収納通路
１６    商品搬出装置
１６１    上ペダル
１６２    下ペダル
１７    通路規制板
１７１，１７２，１７３    係止爪
２    商品収納ラック（中ラック）
３    商品収納ラック（後ラック）
２０，３０    側板
２０１，２０２    係止穴
２０３，２０４    固定穴
２１，３１    商品収納通路
２７，３７    通路規制板
２７１    側縁
２７２，２７３    係止爪
２７４，２７５    固定爪
【図１】
2006252026.tif 000003
【図２】
2006252026.tif 000004
【図３】
2006252026.tif 000005
【図４】
2006252026.tif 000006
【図５】
2006252026.tif 000007
【図６】
2006252026.tif 000008
【図７】
2006252026.tif 000009